(57)【要約】      （修正有）【課題】ケースの組立作業が簡単化されており、長尺の農作物等を収容した状態のケースの天面開口端縁を把持した状態で安全に運搬できる紙製の矩形輸送ケースを提供する。【解決手段】一対の長側壁２ａの各上辺のコ字形状の帯状部からなる上蓋フラップ４，４の先端同士を天面中央で突合せて矩形の中央開口部Ｗとその全周を囲む帯状部よりなる矩形の帯状上蓋Ａを形成し、一対の短側壁３ａの各上辺の上蓋固定フラップ５を上蓋Ａ上に折り重ね、上蓋固定フラップ５の差込片を上蓋Ａの差込孔４ｃに差し込み係合して上蓋Ａを固定するとともに、いずれか一方の上蓋固定フラップに形成されている上蓋押え片５ａを上蓋Ａの中央開口部内に突出させ、突出先端部を上蓋Ａの内面側に折り返すことにより開口部端縁を安全な把持部Ｂとする。【選択図】図２
0003171813.tif 000002
【実用新案登録請求の範囲】
【請求項１】
側縁に糊代を有する長側壁、短側壁、長側壁、短側壁の順に折線を介して連設されており、
各長側壁の上辺には折線を介して、先端側開口の凹部を囲むコ字形状の帯状部からなり、該折線より折り曲げて天面中央でコ字形状の帯状部の先端同士を突合せて矩形の中央開口部とその全周を囲む帯状部とよりなる矩形の帯状上蓋を形成する上蓋フラップが連設され、下辺には折線より折り曲げられて底部中央で両先端同士を突き合わせた状態で底部を閉鎖する底部閉鎖外フラップが連設されており、
各短側壁の上辺には折線を介して、先端縁から中央部に至る平行な２本の溝部に挟まれた上蓋押え片と該２本の溝部の両外側部分よりなる差込片を有し、折線より前記矩形の帯状上蓋を形成する上蓋フラップ上に折り重ね、各差込片を上蓋フラップに設けられている対応する各差込孔に差し込み係合して上蓋を固定する上蓋固定フラップが連設され、下辺には、折線より前記底部閉鎖外フラップの内側に折り込まれる底部閉鎖内フラップが連設されており、
さらに、矩形の帯状の上蓋の一辺を形成しているコ字形状の両上蓋フラップにおける先端同士が突合せ状態となる一対の帯状部が、その上面に折り重ねられる上蓋固定フラップの先端から短側壁の上辺の折線までの幅ｙよりも狭い幅ｘの帯状部として形成されていて、折り重ねられる上蓋固定フラップの上蓋押え片の中央開口部内に突出する先端部を両帯状部の端縁を覆って内面側に折り返すことにより、運搬作業用把持部が形成されることを特徴とする、紙製の矩形輸送ケース。
【請求項２】
前記運搬作業用把持部Ｂを形成する上蓋固定フラップには、該上蓋固定フラップが折り重ねられる両上蓋フラップの帯状部の中央開口部側の端縁に沿って折線が形成されていて、該折線より前記上蓋固定フラップの上蓋押え片の中央開口部内に突出する先端部が帯状部の端縁を覆って内面側に折り返されることを特徴とする請求項１記載の紙製の矩形輸送ケース。
【請求項３】
前記各折線を介して連設されている上蓋フラップ、長側壁及び底部閉鎖外フラップを合わせた長側壁側のシート部分の最大幅と、前記各折線を介して連設されている上蓋固定フラップ、短側壁及び底部閉鎖内フラップを合わせた短側壁側のシート部分の最大幅とが同一幅であることを特徴とする請求項１又は２に記載の紙製の矩形輸送ケース。
【考案の詳細な説明】
【技術分野】
【０００１】
本考案は、商品の輸送及び店頭陳列に兼用可能な紙製の矩形輸送ケースに関する。特に、本考案は、矩形ケースの一対の長側壁と一対の短側壁の各下辺に折線を介して連設されている底面閉鎖フラップにより底面を閉鎖し、矩形ケースの一対の長側壁と一対の短側壁の各上辺に折線を介して連設されている天面フラップにより天面中央部に矩形開口部を有する蓋部を形成した矩形輸送ケースに関する。
【背景技術】
【０００２】
葱、牛蒡、蕗等の野菜類や薔薇、カーネーション等の花卉類のような長尺な農作物や観賞植物等を収容して出荷し、そのまま店頭陳列することができる包装用箱として天面に開口部を有する矩形の紙製包装用箱が使用される。このような包装用箱の場合、天面開口部は卸市場等での取引時に収容物の状態をそのまま確認することを可能とするために必要である。
【０００３】
上記のような長尺の農産物等を収容する包装用箱としては、一対の第１側板の上縁に折目線を介して連設された一対の第１天フラップと、一対の第２側板の上縁に折目線を介して連設された一対の第２天フラップとを設け、第１天フラップの先端縁には折目線を介して連なる第１折返し片と、該第１折返し片の両側に沿って延出する一対の抱込み片とを設けて、第１天フラップを水平に折り曲げた後、更に第１折返し片を下方に折り返して該第１天フラップの下面に重合させ、次いで、第２天フラップの先端縁に折目線を介して連なる第２折返し片を設け、該第２天フラップを水平に折り曲げた後、更に第２折返し片を下方に折り返して、第２天フラップと第２折返し片とで第１天フラップの抱込み片を抱き込んで閉蓋する、という構造の蓋部を有する包装箱が提案されている（特許文献１）。
【０００４】
上記特許文献１の包装用箱は、第１天フラップの第１折返し片の先端部の突起部（第１凸部）が折目線部に形成されている第１穴部に差込係合され、第２天フラップの第２折返し片の先端部の第２凸部も折目線部に形成されている第２穴部に差込係合されているので、天面の蓋部は堅固であるが、多数の先端突起部を小さな差込孔部に正確に差込固定することが収容物の重量に耐える強度を維持するためには必須であるので、そのための組立作業に手間がかかる。
【先行技術文献】
【特許文献】
【０００５】
【特許文献１】特開２００９−０２９４７７号公報
【考案の概要】
【考案が解決しようとする課題】
【０００６】
本考案は、葱、牛蒡、蕗等の野菜類や薔薇、カーネーション等の花卉類のような長尺な農作物や観賞植物を収容して出荷し、卸市場での取引時に収容物の状態をそのまま確認することができ、かつそのまま店頭陳列することができる開口部が形成されている蓋部を有する矩形の紙製輸送ケースを提供することを目的とする。特に本考案は、長尺な農作物等を収容する際のケースの組立作業が簡単化されており、かつ、農作物等を収容した状態のケースを業者が持ち運びをする際に天面開口部の端縁に指をかけて吊り下げた状態で運搬しても裂けることがない強度を備えると共に、打ち抜き加工されている開口部端縁で手指を怪我するおそれのない紙製の輸送ケースを提供することを目的とする。
【０００７】
上記目的を達成することができる本考案の紙製の輸送ケースは、以下の構造を有している。
【０００８】
（１）側縁に糊代を有する長側壁２ａ、短側壁３ａ、長側壁２ｂ、短側壁３ｂの順に折線Ｌを介して連設されており、
長側壁２ａ、２ｂの各上辺には折線Ｌ１を介して、先端側開口の凹部４ｂを囲むコ字形状の帯状部４ａからなり、該折線Ｌ１より折り曲げて天面中央でコ字形状の帯状部４ａの先端同士を突合せて矩形の中央開口部Ｗとその全周を囲む帯状部４ａ，４ａとよりなる矩形の帯状上蓋Ａを形成する上蓋フラップ４が連設され、下辺には折線Ｌ３より折り曲げられて底部中央で両先端同士を突き合わせた状態で底部を閉鎖する底部閉鎖外フラップ６が連設されており、
短側壁３ａ、３ｂの各上辺には折線Ｌ２を介して、先端縁から中央部に至る平行な２本の溝部５ｃ，５ｃに挟まれた上蓋押え片５ａと該２本の溝部５ｃ，５ｃの両外側部分よりなる差込片５ｂ、５ｂを有し、折線Ｌ２より前記矩形の帯状上蓋Ａを形成する上蓋フラップ４上に折り重ね、各差込片５ｂを上蓋フラップ４に設けられている対応する各差込孔４ｃに差し込み係合して上蓋Ａを固定する上蓋固定フラップ５が連設され、下辺には、折線Ｌ４より前記底部閉鎖外フラップ６の内側に折り込まれる底部閉鎖内フラップ７が連設されており、
さらに、矩形の帯状上蓋Ａの一辺を形成しているコ字形状の両上蓋フラップ４，４における先端同士が突合せ状態となる一対の帯状部４ａ，４ａが、その上面に折り重ねられる上蓋固定フラップ５の先端から短側壁３の上辺の折線Ｌ２までの幅ｙよりも狭い幅ｘの帯状部として形成されていて、折り重ねられる上蓋固定フラップ５の上蓋押え片５ａの中央開口部内に突出する先端部を帯状部４ａ，４ａの端縁を覆って内面側に折り返すことにより、運搬作業用把持部Ｂが形成されることを特徴とする、紙製の矩形輸送ケース。
【０００９】
（２）前記運搬作業用把持部Ｂを形成する上蓋固定フラップ５には、該上蓋固定フラップ５が折り重ねられる上蓋フラップ４，４の帯状部４ａ，４ａの中央開口部側の端縁に沿って折線Ｌ５が形成されていて、該折線Ｌ５より前記上蓋固定フラップ５の上蓋押え片５ａの中央開口部内に突出する先端部が帯状部４ａ，４ａの端縁を覆って内面側に折り返されることを特徴とする（１）項記載の紙製の矩形輸送ケース。
【００１０】
（３）前記折線Ｌ１及びＬ３を介して連設されている上蓋フラップ４、長側壁２ａ又は２ｂ、及び底部閉鎖外フラップ６を合わせた長側壁側のシート部分の最大幅と、前記折線Ｌ２及びＬ４を介して連設されている上蓋固定フラップ５、短側壁３ａ又は３ｂ、及び底部閉鎖内フラップ７を合わせた短側壁側のシート部分の最大幅とが同一幅であることを特徴とする（１）項又は（２）項に記載の紙製の矩形輸送ケース。
【考案の効果】
【００１１】
本考案によれば、葱、牛蒡、蕗等の野菜類や薔薇、カーネーション等の花卉類のような長尺な農作物等を収容して出荷し、卸市場での取引時に収容農作物の状態をそのまま確認することができ、かつそのまま店頭陳列することができる中央開口部が形成されている蓋部を有しているとともに、長尺な農作物等を収容する際のケースの組立作業が単純化されており、さらに、農作物等を収容した状態のケースを業者が持ち運びする際に天面開口部の端縁に指をかけて吊り下げ状態で把持して運搬しても裂けることがない強度と手指を怪我するおそれのない安全性を備えた把持部を有する紙製の矩形輸送ケースが提供される。
【図面の簡単な説明】
【００１２】
【図１】本考案の紙製の矩形輸送ケースの展開図（ブランクシート）を示す図である。
【図２】図１のブランクシートから組み立てられた紙製の矩形輸送ケースの斜視図である。
【図３】図２の輸送ケースを手指で吊り下げて運搬する作業時の状態を示す図である。
【考案を実施するための形態】
【００１３】
以下、図面を参照して本考案の紙製の矩形輸送ケースを具体的に説明する。
本考案の紙製の矩形輸送ケースは、図１のブランクシートから組み立てられるノンステープルタイプの矩形輸送ケースである。
【００１４】
図１において、１は、板紙又は段ボールを打ち抜いて形成されている、本考案の紙製の矩形輸送ケースを組み立てるためのブランクシートである。２ａ、２ｂは長側壁、３ａ，３ｂは短側壁を示し、４は上蓋フラップ、５は上蓋固定フラップ、６は底部閉鎖外フラップ、７は底部閉鎖内フラップを示し、８は糊代を示す。また、４ａは上蓋フラップの帯状部、４ｂは上蓋フラップの先端側開口凹部、４ｃは上蓋フラップに設けられる差込孔を示し、５ａは上蓋押え片、５ｂは上蓋押え片に設けられている差込片、５ｃは上蓋フラップの先端側を分割して上蓋押え片５ａと差込片５ｂを形成している溝部を示し、Ｌ、Ｌ１〜Ｌ５は折線を示す
【００１５】
本考案の紙製の矩形輸送ケースを図１のブランクシートから組み立てる際には、まず、折線Ｌにより、長側壁２ａ、短側壁２ａ、長側壁２ｂ、短側壁２ｂの順に折り曲げ、端側壁２ｂの側縁と長側壁２ａの側縁部を糊代８で接着固定して矩形筒状体を形成する。
このように形成した矩形筒状体の底面側の閉鎖は、短側壁の下辺に折線Ｌ４を介して連設されている底部閉鎖内フラップ７,７を折り込み、該内フラップ上に長側壁の下辺に折線Ｌ３を介して連設されている底部閉鎖外フラップ６,６を折り重ね、外フラップ６,６の中央突合せ端部を含む領域を覆って接着テープで接着固定して行う。この底部閉鎖外フラップ６，６の突合せ端部は、ステープルによる閉鎖部とすることも可能である。
【００１６】
また、天面側については、まず、長側壁２ａ及び長側壁２ｂの上辺の折線Ｌ１より両上蓋フラップ４，４を矩形筒状体の天面側に折り曲げて天面中央において対向する両上蓋フラップ４，４のコ字形状の帯状部４ａの先端同士を突き合わせた状態とすることにより、矩形の中央開口部Ｗと該中央開口部Ｗの全周を囲む帯状部４ａ、４ａよりなる矩形の帯状上蓋Ａを形成する。
【００１７】
次に、短側壁３ａ及び短側壁３ｂの上辺の折線Ｌ２より両上蓋固定フラップ５，５を前記矩形の帯状上蓋Ａの一辺を形成している、先端同士が突き合わせ状態の一対の帯状部４ａ，４ａ上に折り重ね、各差込片５ｂを上蓋フラップ４に形成されている差込孔４ｃの対応する差込孔に差し込んで上蓋Ａを確実に固定する。差込孔４ｃは図１に示すようにコ字状の切目とされており、また、差込片５ｂも十分な長さとなるように形成されているので、この差込作業に熟練者は必要ではないし、差込固定部も堅固となる。
【００１８】
このように差込固定された状態では、一方の短側壁３ａの上蓋固定フラップ５の先端中央の上蓋押え片５ａは、矩形の上蓋Ａにおける先端部同士が突合せ状態である帯状部４ａ，４ａを有する辺の上面を押え付けた状態となり、他方の短側壁３ｂの上蓋固定フラップ５の先端中央の上蓋押え片５ａは、矩形の上蓋Ａにおける上記一方の辺と対向する他方の辺の上面を押え付けた状態で、さらにその先端部が中央開口部Ｗ内に突出した状態となる。この中央開口部Ｗ内に突出した状態となる突出先端部を、上蓋Ａの上記他の辺の中央開口部Ｗ側の先端縁に対応する上蓋押え片５ａの箇所に設けられている折線Ｌ５より該他の辺の先端縁を覆って内面側に折り返すことによって図２に示されるように、運搬作業用の把持部Ｂが設けられている上蓋Ａが形成される。
【００１９】
上記運搬作業用の把持部Ｂを形成している他方の短側壁３の上蓋固定フラップ５における上蓋押え片５ａの中央開口部Ｗ内に突出する先端部は、図１に示されているように、矩形の帯状上蓋Ａの一辺を形成している前記先端同士が突合せ状態となる帯状部４ａ，４ａ部分の幅、すなわち、図１に示される上蓋フラップ４の側縁から中央凹部までの幅ｘを、図１に示される上蓋固定フラップ５の上蓋押え片５ａの先端から折線Ｌ２までの幅ｙよりも狭くすることによって中央開口部Ｗ内に突出させる。
【００２０】
本考案の紙製の矩形輸送ケースの場合は、前記折線Ｌ１及びＬ３を介して連設されている上蓋フラップ４、長側壁２ａ又は２ｂ、及び底部閉鎖外フラップ６を合わせた長側壁側のシート部分の最大幅と、前記折線Ｌ２及びＬ４を介して連設されている上蓋固定フラップ５、短側壁３ａ又は３ｂ、及び底部閉鎖内フラップ７を合わせた短側壁側のシート部分の最大幅とが同一幅であるブランクシートから形成される。  
把持部Ｂを形成する短側壁３側の上蓋固定フラップ５の先端から折線Ｌ２までの幅ｙを、把持部Ｂを形成しない上蓋固定フラップの先端部分や上蓋フラップ４の突合せ部となる先端部よりも突出した形状にすることによって中央開口部Ｗ内に突出する先端部を形成することも可能であるが、ブランクシートを形成するための紙取りを多くすることとなるので好ましくない。
【００２１】
本考案の輸送ケースを使用する場合は、底面を閉鎖した状態のケース内に葱や牛蒡のような長尺の農作物や切り花を収容した後上蓋を形成するが、この際、上蓋の前記把持部Ｂ側に農作物や切り花の上部が位置するように収容する。
【００２２】
以上のように、本考案の紙製輸送ケースは、ブランクシートからの組立が単純な作業で行うことができるので出荷作業に熟練者を配置する必要がなく、出荷後の取引所での収納農作物の品質確認が容易であり、さらに、市場等における運搬作業も、図３に示すように、上蓋Ａの中央開口部Ｗ内の端縁に指を掛けた状態で吊り下げ把持して安全に行うことが可能である。
【産業上の利用可能性】
【００２３】
本考案の紙製の矩形輸送ケースは、上記のように製品を収容したままでの状態確認も容易に行うことができる中央開口部を有し、かつ、製品収容状態のまま作業者が運搬することができる強度と安全性を兼備した把持部が形成されている上蓋を有しているので、長尺の農作物や花卉のみならず、それらと同様な取引方法が採用される各種製品用の輸送ケースとしても有用である。
【符号の説明】
【００２４】
１：輸送ケース及びブランクシート
２ａ，２ｂ：長側壁
３ａ，３ｂ：短側壁
４：上蓋形成フラップ
４ａ：帯状部
４ｂ：中央凹部
４ｃ：差込孔
５：上蓋固定フラップ
５ａ：上蓋押え片
５ｂ：差込片
５ｃ：溝部
６：底部閉鎖外フラップ
７：底部閉鎖内フラップ
８：糊代
Ａ：上蓋
Ｂ：把持部
Ｃ：作業者
Ｗ：中央開口部
Ｌ，Ｌ１〜Ｌ５：折線
ｘ：帯状部の幅
ｙ：上蓋固定部の幅
【図１】
0003171813.tif 000003
【図２】
0003171813.tif 000004
【図３】
0003171813.tif 000005